(57)【特許請求の範囲】
【請求項１】
各一対の平面板(1)と側面板(2)とを交互に連設し、一方の平面板(1)の外側をブランク外周の切断縁とし、他方の側面板(2)の外側に継代片(3)を連設して、各一対の平面板(1)及び側面板(2)を角筒状に折り曲げ、継代片(3)を一方の平面板(1)の裏面に貼り付けることにより、物品を包み込む周壁を形成し、各側面板(2)の両端から内フラップ(4)を、各平面板(1) の両端から外フラップ(5)をそれぞれ延出し、内フラップ(4)及び外フラップ(5)を順次折り曲げ、内フラップ(4)の表側に外フラップ(5)を貼り合わせて封緘する段ボール製ラップラウンド箱において、前記一対の平面板(1)のうち、少なくとも一方の平面板(1)及びこれに繋がる外フラップ(5)に、外フラップ(5)の先端中央部から平面板(1)の両側へかけて斜めに延びる折目線(6)を入れ、継代片(3)にも、平面板(1)の折目線(6)に重なる折目線(6)を入れたことを特徴とするラップラウンド箱。
【発明の詳細な説明】
【技術分野】
【０００１】
この発明は、飲料缶等の集合包装に使用する段ボール製のラップラウンド箱に関するものである。
【背景技術】
【０００２】
一般に、ビール等の飲料缶を集合包装するラップラウンド箱には、横置きにした状態でトレー状に分割して開封できるように、カットテープ等の引裂帯が設けられているが、家庭で開封する際には、飲料缶を必要分だけ取り出して、残存分を嵩張ることなく保管しておくため、縦置きにした状態で、上方となった端面から開封する場合が多い。
【０００３】
ところが、このとき、周壁と飲料缶との間に手を入れる隙間がなく、飲料缶が取り出しにくいため、下記特許文献１においては、周壁を形成する一方の平面板に、継代片に重なる切断縁から対角へかけて斜めに延びる折目線を入れておき、端面から開封する際、この折目線に沿って平面板を外側へ折り曲げ、開口部を拡大して、飲料缶を容易に取り出せるようにしたものが提案されている。
【０００４】
【特許文献１】特開２００１−３５４２３１号公報
【発明の開示】
【発明が解決しようとする課題】
【０００５】
しかしながら、上記のようなラップラウンド箱では、継代片と平面板とがホットメルト接着剤で強力に接着されていることから、平面板を斜め方向の折目線に沿って折り曲げる際、継代片から剥がしにくいという問題がある。
【０００６】
そこで、この発明は、周壁と内容物との間に手を入れて、内容物を容易に取り出すことができるラップラウンド箱を提供することを課題とする。
【課題を解決するための手段】
【０００７】
上記課題を解決するため、この発明は、対向する一対の平面板と、これに対して直角をなすように対向する一対の側面板とを筒状に連設して、物品を包み込む周壁を形成し、各側面板から内フラップを、各平面板から外フラップをそれぞれ延出し、内フラップ及び外フラップを順次折り曲げ、内フラップの表側に外フラップを貼り合わせて封緘するラップラウンド箱において、前記平面板及びこれに繋がる外フラップに、外フラップの先端中央部から平面板の両側へかけて斜めに延びる折目線を入れたのである。
【発明の効果】
【０００８】
この発明に係るラップラウンド箱では、折目線に沿って平面板及び外フラップを外側へ撓ませると、平面板と内容物との間に隙間ができるので、その隙間に手を差し入れ、内容物に手を掛けて、内容物を容易に取り出すことができる。
【発明を実施するための最良の形態】
【０００９】
まず、この発明の第１実施形態を、図１乃至図３に基づいて説明する。
【００１０】
図１に示すように、このラップランド箱の段ボール製ブランクでは、各一対の平面板１と側面板２とが交互に連設され、一方の平面板１の外側は、ブランク外周の切断縁にのぞみ、他方の側面板２の外側には、継代片３が連設されている。各側面板２の両端には内フラップ４が連設され、各平面板１の両端には外フラップ５が連設されている。
【００１１】
一方の平面板１及びこれに繋がる一端の外フラップ５には、外フラップ５の先端中央部から平面板１の両側の他端コーナーへかけて斜めに延びる折目線６が入れられ、継代片３にも、組立時に平面板１の折目線６に重なる折目線６が入れられている。折目線６は、段ボールの裏面側から入れた押罫とされている。
【００１２】
また、各側面板２及びその両端に繋がる内フラップ４の裏面には、横置き時の開封に使用するカットテープ７が連続して貼着され、側面板２の中央部には、摘み部８が切目を入れて形成されている。
【００１３】
このブランクを組み立てて、図２に示すように、集積した缶Ｃを包装する際には、各一対の平面板１及び側面板２を角筒状に折り曲げて、継代片３を一方の平面板１の裏面に貼り付けることにより、缶Ｃを包み込む周壁を形成し、内フラップ４と外フラップ５とを順次折り曲げて貼り合わせ、両端面を閉止する。
【００１４】
このようなラップラウンド箱を縦置きにした状態で、ラップランド箱から缶Ｃを取り出す際には、折目線６の入った外フラップ５を天面側とし、図３に示すように、天面側の外フラップ５を、内フラップ４から剥がして起立させ、天面を開口させる。
【００１５】
そして、一方の平面板１及び天面側の外フラップ５を折目線６に沿って外側へ撓ませると、この平面板１と缶Ｃとの間に隙間ができるので、その隙間に手を差し入れ、缶Ｃの端面に手を掛けて、缶Ｃを容易に取り出すことができる。
【００１６】
また、このようなラップラウンド箱では、製造に際し、包装状態での強度を損なうおそれのある切刃加工を行なう必要もなく、ブランクを組み立てて缶Ｃを包装する包装機械への適性が低下することもない。
【００１７】
次に、この発明の第２実施形態を図４乃至図６に基づいて説明する。なお、ここでは、上記第１実施形態と共通する部分の説明は省略し、第１実施形態との相違点についてのみ言及する。
【００１８】
図４に示すように、このラップラウンド箱の段ボール製ブランクでは、一方の平面板１及びこれに繋がる両端の外フラップ５に、各外フラップ５の先端中央部から平面板１の両側へかけて斜めに延びる折目線６が交差して上下対称となるように入れられている。継代片３にも、組立時に平面板１の折目線６に重なる折目線６が入れられている。
【００１９】
このようなブランクを組み立てて、図５に示すように、集積した缶Ｃを包装し、ラップラウンド箱を縦置きにした状態で、ラップラウンド箱から缶Ｃを取り出す際には、両端の外フラップ５に折目線６が入っているので、いずれの端面を天面側にしても、図６に示すように、天面側を開封し、一方の平面板１及び天面側の外フラップ５を折目線６に沿って外側へ撓ませることにより、缶Ｃを容易に取り出すことができる。
【００２０】
なお、上記各実施形態では、一方の平面板１及びこれに繋がる外フラップ５にのみ折目線６を入れたものを例示したが、横置き時にカットテープ７で切断してトレー状態とした場合における強度を考慮する必要がなければ、両方の平面板１及びこれに繋がる外フラップ５に折目線６を入れるようにしてもよい。
【００２１】
また、折目線６は、段ボールの裏面側から入れた押罫としたが、包装状態やトレー状態での強度を損なわない範囲で、段ボールの裏面側又は表面側から入れた折目と段ボールの表裏に貫通する切目とが交互に断続するリード罫としてもよい。
【００２２】
また、折目線６を、外フラップ５の先端中央部から平面板１の両側の他端コーナーへかけて斜めに延びるように入れたが、２本の折目線６の挟角を広く設定して、折目線６の外端が平面板１と側面板２との稜線中間部に至るようにしてもよい。
【００２３】
そのほか、各稜部が角張った直方体のものを例示したが、稜部に面取が施された多面体のラップラウンド箱においても、平面板１及びこれに繋がる外フラップ５に折目線６を入れることにより、同様の効果を得ることができる。
【図面の簡単な説明】
【００２４】
【図１】第１実施形態に係るラップラウンド箱のブランクを示す裏面図
【図２】同上の封緘状態を示す斜視図
【図３】同上の開封状態を示す斜視図
【図４】第２実施形態に係るラップラウンド箱のブランクを示す裏面図
【図５】同上の封緘状態を示す斜視図
【図６】同上の開封状態を示す斜視図
【符号の説明】
【００２５】
１  平面板
２  側面板
３  継代片
４  内フラップ
５  外フラップ
６  折目線
７  カットテープ
８  摘み部
【図１】
0004732414.tif 000002
【図２】
0004732414.tif 000003
【図３】
0004732414.tif 000004
【図４】
0004732414.tif 000005
【図５】
0004732414.tif 000006
【図６】
0004732414.tif 000007